(57)【要約】      （修正有）【課題】ライトバーから発生した高温を放熱ベースに確実に伝導することにより、放熱効果を向上した発光ダイオード照明器具を提供する。【解決手段】接触部１１が形成された放熱ベース１と、該放熱ベースの接触部に設けられる少なくとも一つのライトバー２と、両側の内壁にそれぞれ圧接部３３が設けられ、取り外し可能に放熱ベースに組み付けられ、ライトバーを覆蓋し、二つの圧接部がライトバーの回路板２１に圧接されることにより、ライトバーの回路板と放熱ベースの接触部とを密接させるランプシェード３と、を備える。【選択図】図５
0003168979.tif 000002
【実用新案登録請求の範囲】
【請求項１】
接触部が形成された放熱ベースと、
回路板と前記回路板に電気的に接続して設けられた複数の発光ダイオードを含み、前記接触部に設けられる少なくとも一つのライトバーと、
一面に開口が形成され、両側の内壁には圧接部がそれぞれ設けられ、取り外し可能に前記放熱ベースに組み付けられ、前記少なくとも一つのライトバーを覆蓋し、前記二つの圧接部が前記回路板に圧接されることにより前記回路板と前記接触部とを密接させるランプシェードと
を備える発光ダイオード照明器具。
【請求項２】
前記二つの圧接部は、前記ランプシェードの長手方向に沿って延伸されている請求項１に記載の発光ダイオード照明器具。
【請求項３】
前記二つの圧接部の前記回路板に隣接する側には、前記回路板に向かって突出した凸部が形成され、前記二つの圧接部は、前記凸部によって前記回路板と接触する請求項２に記載の発光ダイオード照明器具。
【請求項４】
前記放熱ベースの両側の外壁には、それぞれ第１の係合部が設けられ、前記ランプシェードの両側の内壁には、それぞれ第２の係合部が設けられ、前記二つの第２の係合部と前記二つの第１の係合部が互いに係合する請求項１に記載の発光ダイオード照明器具。
【請求項５】
前記放熱ベースの外壁には、放熱部が設けられている請求項１に記載の発光ダイオード照明器具。
【考案の詳細な説明】
【技術分野】
【０００１】
本考案は、発光ダイオード照明器具に関し、特に、放熱効果を向上させた発光ダイオード照明器具に関する。
【背景技術】
【０００２】
発光ダイオード（ｌｉｇｈｔ  ｅｍｉｔｔｉｎｇ  ｄｉｏｄｅ；ＬＥＤ）は、体積が小さい、寿命が長い、反応速度が速い、耐震特性がよい等の長所を持ち、次第に幅広く受け入れられて使用されるようになった。また、発光ダイオードを応用した多様な照明器具についての研究開発及び改良がなされており、発光ダイオードは、益々広く応用されている。発光ダイオード時代の到来に伴い、従来の蛍光灯管は、徐々に発光ダイオード灯管に置き換えられている。
【０００３】
従来の発光ダイオード灯管は、主に放熱ベース、ライトバー、ランプシェードを備え、放熱ベースとランプシェードが係合されて組み合わせられ、ライトバーが放熱ベースの内側における対応するスロットに貫設され、放熱ベースによってライトバーから発生した高温を放熱ベースに伝導し、更に外部へ放出する。
【考案の概要】
【考案が解決しようとする課題】
【０００４】
従来の発光ダイオード灯管におけるライトバーは、放熱ベースのスロットに滑動的に貫設されているが、組立の都合上、ライトバーと放熱ベースのスロットとの間に適当な隙間を残す必要があり、ライトバーと放熱ベースとが密接できない。このため、ライトバーから発生した高温を放熱ベースに確実に伝導することができないことから、熱伝導効率が悪く、発光ダイオード照明器具の放熱効果が向上しにくいという欠点があった。
【課題を解決するための手段】
【０００５】
本考案は、上述の問題点に鑑み、ライトバーと放熱ベースとを密接させて、発光ダイオード照明器具の放熱効果を向上することができる発光ダイオード照明器具を提供することを目的とする。
【考案の効果】
【０００６】
本考案は、ランプシェードの内側に二つの圧接部が設けられ、ライトバーの回路板に圧接されるように用いられ、ライトバーと放熱ベースの接触部とを密接させることにより、ライトバーから発生した高温が確実に放熱ベースに伝導され、これにより熱伝達効率が改善すると共に熱を外部に放出することができ、発光ダイオード照明器具の放熱効果を向上させる効果を有する。
【図面の簡単な説明】
【０００７】
【図１】本考案の発光ダイオード照明器具の分解斜視図である。
【図２】本考案の発光ダイオード照明器具の一部の分解斜視図である。
【図３】本考案の発光ダイオード照明器具の一部の分解斜視図（放熱ベース、ライトバー、ランプシェードが組み立てられた状態）である。
【図４】本考案の発光ダイオード照明器具の断面図である。
【図５】本考案の発光ダイオード照明器具の一部の組立斜視図である。
【図６】本考案の側面カバーの本体の斜視図である。
【図７】本考案の発光ダイオード照明器具の外観斜視図である。
【考案を実施するための形態】
【０００８】
図１から図７を参照して、本考案にかかる発光ダイオード照明器具は、放熱ベース１、少なくとも一つのライトバー２、ランプシェード３を備える。前記放熱ベース１は、熱伝導性の良い金属材質で製作され、略半円形の中空基盤をなすが、その形状及びサイズは限定されず、必要に応じて適当に変化を加えても良い。放熱ベース１は、一側に長手状の接触部１１が形成される。放熱ベース１の対向する両側の外壁には、第１の係合部１２がそれぞれ設けられ、二つの第１の係合部１２が放熱ベース１の長手方向に沿って延伸する。第１の係合部１２は、凹凸係合構造でよく、ランプシェード３と係合される。放熱ベース１には、接触部１１から離れた一側であって両端に近接した位置に係止孔１３（図３に示すように）がそれぞれ設けられる。放熱ベース１の外壁にも、ストライプ状の凹凸から構成される放熱部１４が設けられてもよく、これより放熱面積が増加する。
【０００９】
ライトバー２の設置数は、一つや二つ等でよく、細長い板状の回路板２１及び回路板２１に設けられる複数の発光ダイオード２２を含む。回路板２１は、表面に回路軌跡を有する回路基板であってよく、例えば、表面に回路軌跡を有するアルミニウム基板が挙げられるが、これに限定されない。複数の発光ダイオード２２は、回路板２１のランプシェード３に隣接する面に設けられ、回路板２１に電気的に接続されており、その設置数は、実際の設計上の必要に応じて適宜増減させることができる。ライトバー２は、放熱ベース１の接触部１１に設けられ、回路板２１の発光ダイオード２２が設けられていない面において、放熱ベース１の接触部１１と接触する。
【００１０】
ランプシェード３は、透光性材質で製作され、アーチ形又は他の形状の中空筺体であってよいが、その形状及びサイズには制限が無く、必要に応じて適当に変化できる。ランプシェード３は、一面に開口３１が形成され、両側の内壁には、第２の係合部３２がそれぞれ設けられ、二つの第２の係合部３２がランプシェード３の長手方向に沿って延伸し、第２の係合部３２が第１の係合部１２に対応する凹凸係合構造であるが、第１の係合部１２及び第２の係合部３２の構造はこれに限定されず、他の係合構造であってもよい。ランプシェード３は、両側の内壁にそれぞれ圧接部３３が設けられ、二つの圧接部３３が、ランプシェード３の長手方向に沿って延伸し、ランプシェード３の両側の内壁より適切な長さ突出しており、ライトバー２の回路板２１に圧接するために用いられる。また、本実施例においては、圧接部３３の回路板２１に隣接する側に、回路板２１に向かって突出する凸部３３１が更に形成されており、圧接部３３を凸部３３１によって回路板２１と接触させる。
【００１１】
ランプシェード３の二つの第２の係合部３２と放熱ベース１の二つの第１の係合部１２は、互いに係合し、ランプシェード３を取り外し可能に放熱ベース１に組み付ける。ランプシェード３は、ライトバー２の外部にカバー方式で設けられ、発光ダイオード２２から発生した光をランプシェード３を透過して外に出射させる。ランプシェード３が放熱ベース１に組み付けられた後、ランプシェード３の二つの圧接部３３（凸部３３１）は、ライトバー２の回路板２１に圧接されて、ライトバー２の回路板２１を放熱ベース１の接触部１１と密接させる。
【００１２】
本考案は、二つの側面カバー４を更に備えてもよく、放熱ベース１、ライトバー２、ランプシェード３が二つの側面カバー４の間に設けられる。各側面カバー４は、側面カバー本体４１、絶縁ベース４２、二つの導電ピン４３を有し、側面カバー本体４１は、円形な蓋体であり、非透光材質で製作された非透光素子として、遮光効果を有し、光が発光ダイオード照明器具の両端から出射されることを防ぐ。絶縁ベース４２は、プラスチック等の絶縁材質で製作された中空体であり、側面カバー本体４１の内部に設けられ、絶縁ベース４２と側面カバー本体４１との間に設けられた対応する位置決め槽４２１（図３に示すように）と位置決め塊４１１（図６に示すように）が、互いに係合して位置決める。二つの導電ピン４３は、側面カバー本体４１の一端に貫設される。導電ピン４３の一端は、側面カバー本体４１から突出してランプホルダーに挿接され、他端が導線（図示せず）等によってライトバー２に電気的に接続される。
【００１３】
二つの側面カバー４の側面カバー本体４１は、放熱ベース１及びランプシェード３の両端に設けられる。側面カバー本体４１には、放熱ベース１の二つの係止孔１３に対応する係止塊４１２（図６に示すように）が設けられ、二つの係止塊４１２と二つの係止孔１３が互いに係合して、二つの側面カバー４を放熱ベース１及びランプシェード３の両端にしっかりと結合させる。また、二つの側面カバー４の絶縁ベース４２の両側には、切断溝４２２がそれぞれ設けられており、放熱ベース１の接触部１１の両端及び二つのライトバー２の回路板２１の外端を切断溝４２２内に挿接させて、放熱ベース１、ライトバー２及び側面カバー４をよりしっかりと結合させる。
【産業上の利用可能性】
【００１４】
本考案のランプシェード３の内側には、二つの圧接部３３が設けられ、ライトバー２の回路板２１に圧接するために用いられる。ライトバー２の回路板２１と放熱ベース１の接触部１１とを密接させることにより、ライトバー２から発生した高温が放熱ベース１に確実に伝導されるため、熱伝導の効率がよく、高温が外部に放出される。これにより、発光ダイオード照明器具の放熱効果が向上される。
【符号の説明】
【００１５】
１  放熱ベース１１  接触部１２  第１の係合部１３  係止孔１４  放熱部２  ライトバー２１  回路板２２  発光ダイオード３  ランプシェード３１  開口３２  第２の係合部３３  圧接部３３１  凸部４  側面カバー４１  側面カバー本体４１１  位置決め塊４１２  係止塊４２  絶縁ベース４２１  位置決め槽４２２  切断溝４３  導電ピン
【図１】
0003168979.tif 000003
【図２】
0003168979.tif 000004
【図３】
0003168979.tif 000005
【図４】
0003168979.tif 000006
【図５】
0003168979.tif 000007
【図６】
0003168979.tif 000008
【図７】
0003168979.tif 000009